(57)【特許請求の範囲】
【請求項１】
表面を平面視したときに任意の形状を有していて、当該表面に描画用材料での描画が行われる、柔軟性を有する素材からなる描画用シートと、
折り曲げ変形、凸湾変形及び、凹湾変形できる部材からなり、前記描画用シートの前記表面とは反対側の背面側の面積に対応する面積を有している支持面を備えていて当該支持面の周縁が画定していると共に任意の形態を有している平板状の支持体と
を備えている描画用素材であって、
前記描画用シートの背面側が、前記支持体の前記支持面に貼り付けられてなり、
前記描画用シートの背面側が、前記支持体の前記支持面に貼り付けられている状態の前記描画用素材を任意に折り曲げ、凸湾及び、凹湾変形させることが可能で、
前記支持面の周縁が画定していて、前記支持面の面積と前記描画用シートの背面側の面積とが同一であることにより、
前記描画用シートの表面に前記描画用材料による描画が行われている状態の前記描画用素材の周縁を囲繞する枠体を用いることなしに、前記描画用シートの表面に前記描画用材料による描画が行われている状態の前記描画用素材を展示できる
ことを特徴とする新規な描画用素材。
【請求項２】
前記任意に折り曲げ、凸湾及び、凹湾変形された前記新規な描画用素材が自立可能であることを特徴とする請求項１記載の新規な描画用素材。
【請求項３】
前記支持体は光を透過する素材からなることを特徴とする請求項１又は２記載の新規な描画素材。
【発明の詳細な説明】
【技術分野】
【０００１】
この発明は絵の具などの様々な描画材料を用いて描写表現・創作がなされる描画用素材に関し、特に、日本画、油絵、水彩画、アクリル画などにとどまらず、書道など、あらゆる描写表現・創作に対応可能な、新規な描画用素材に関する。
【背景技術】
【０００２】
絵の具などの様々な描画材料を用いて描写表現・創作がなされる描画用素材に関しては従来から種々の提案が行われている。
【０００３】
特許文献１では、四辺が同じ大きさ（等面積）のキャンバス布と、プラスチック薄板と色紙が固着されて積層され、前記色紙の裏面がラップフィルムで覆われている構造の油絵色紙が提案されている。
【０００４】
特許文献２では、プラスチック延伸テープをシート状に織ってなる基材と、この基材上に接着された紙又は布よりなる表面材と、この表面材上に塗着されたジェッソ層とからなる絵画用キャンバスシートが提案されている。
【０００５】
特許文献３では、絵画用画布をハニカム版またはリブを有するハニカム版に糊付けしてなる絵画用ハニカムキャンバスが提案されている。
【０００６】
特許文献４では、パネル板と、パネル板の裏面外周縁に沿って取り付けられたサイド板と、各サイド板の端縁に内方に向けて取り付けられた縁板と、前記パネル板、前記サイド板、前記縁板の外表面を覆って設けられたキャンバスを備えた絵画用パネルが提案されている。
【先行技術文献】
【特許文献】
【０００７】
【特許文献１】実開昭６１−１９６１００号公報
【特許文献２】実開昭６３−１１９１００号公報
【特許文献３】特開２０００−５２６９８号公報
【特許文献４】特開２００５−２２３８１号公報
【発明の概要】
【発明が解決しようとする課題】
【０００８】
絵の具などの様々な描画材料を用いて描写表現・創作がなされる描画用素材は、従来、一般的に、木枠にキャンバス地を張設したものであったり、特許文献１〜４で提案されているように平面視で矩形などの所定形状の支持体の上にキャンバス地などが積層されている構造のものであった。
【０００９】
そこで、従来、一般的には平面視で矩形の描画用素材しか存在せず、また、大きさに制限があり、創作者がその創作能力を十分に発揮する上での制限になっていた。
【００１０】
また、木枠にキャンバス地を張設した描画用素材の場合には重く、持ち運びに不便である、等の問題もあった。
【００１１】
この発明は、創作者がその創作能力を十分に発揮することを可能とする新規な描画用素材を提案することを目的にしている。
【課題を解決するための手段】
【００１２】
表面を平面視したときに任意の形状を有していて、当該表面に描画用材料での描画が行われる、柔軟性を有する素材からなる描画用シートと、
折り曲げ変形、凸湾変形及び、凹湾変形できる部材からなり、前記描画用シートの前記表面とは反対側の背面側の面積に対応する面積を有している支持面を備えていて当該支持面の周縁が画定していると共に任意の形態を有している平板状の支持体と
を備えている描画用素材であって、
前記描画用シートの背面側が、前記支持体の前記支持面に貼り付けられてなり、
前記描画用シートの背面側が、前記支持体の前記支持面に貼り付けられている状態の前記描画用素材を任意に折り曲げ、凸湾及び、凹湾変形させることが可能で、
前記支持面の周縁が画定していて、前記支持面の面積と前記描画用シートの背面側の面積とが同一であることにより、
前記描画用シートの表面に前記描画用材料による描画が行われている状態の前記描画用素材の周縁を囲繞する枠体を用いることなしに、前記描画用シートの表面に前記描画用材料による描画が行われている状態の前記描画用素材を展示できる
ことを特徴とする新規な描画用素材
である。
【００１３】
これによって所期の目的を達成するものである。
【発明の効果】
【００１４】
この発明によれば、創作者がその創作能力を十分に発揮することを可能とする新規な描画用素材を提案することができる。
【図面の簡単な説明】
【００１５】
【図１】本発明の描画用素材の一実施形態を表す図であって、（ａ）は描画用シート素材と支持体とが貼り合わされる前の状態を説明する分解斜視図、（ｂ）は描画用シート素材と支持体とが貼り合わされてこの実施形態の描画用素材となった状態を説明する斜視図、（ｃ）はこの実施形態の描画用素材の断面図。
【図２】（ａ）は本発明の描画用素材の一実施形態の平面図、（ｂ）はＡ−Ａ線断面図。
【図３】本発明の描画用素材の他の実施形態で立体的に展示する状態の一例を説明する斜視図。
【図４】本発明の描画用素材の他の実施形態で立体的に展示する状態の他の例を説明する斜視図。
【図５】本発明の描画用素材の他の実施形態で立体的に展示する状態の更に他の例を説明する斜視図。
【図６】本発明の描画用素材の他の実施形態で空間的に展示する状態の一例を説明する斜視図。
【発明を実施するための形態】
【００１６】
以下、添付図面を参照して本発明の好ましい実施形態を説明する。
【００１７】
図１図示の実施形態に係る描画用素材１は、描画用シート２と、支持体３とを備えている。
【００１８】
描画用シート２は、表面を平面視したときに任意の形状を有している。例えば、図１図示の実施形態の描画用シート２は、表面を平面視したときに矩形の形状を有している。図２図示の実施形態の描画用シート１２は、表面を平面視したときに瓢箪のような形状を有し、２カ所の透孔４ａ、４ｂを備えている。図３、図４、図５図示の実施形態の描画用シート２２、３２、４２、４２´は、表面を平面視したときに矩形の形状を有する。図６図示の実施形態の描画用シート５２、６２は表面を平面視したときに円形形状で、描画用シート７２は表面を平面視したときに矩形（台形）形状を有する。
【００１９】
描画用シート２、１２、２２、３２、４２、４２´、５２、６２、７２は、布、帆布、亜麻布などのキャンバス地や紙など、従来公知の描画用シート素材からなるものであり、これらは、いずれも柔軟性を有する素材である。
【００２０】
描画用シート２、１２、２２、３２、４２、４２´、５２、６２、７２の表面２ａ、１２ａ、２２ａ、３２ａ、４２ａ、４２ａ´、５２ａ、６２ａ、７２ａに、油絵の具、等の従来公知の描画用材料での描画が行われる。
【００２１】
この実施形態の新規な描画用素材において、支持体は、任意に変形可能な部材からなる。そして、描画用シートの表面とは反対側の背面側の面積に対応する面積を有している支持面を備えている。また、当該支持面の周縁が画定していると共に任意の形態を有している。
【００２２】
図１の実施形態では、支持体３は、描画用シート２の背面側２ｂの面積に対応する面積を有している支持面３ａを備えている。図２の実施形態では、支持体１３は、描画用シート１２の背面側１２ｂの面積に対応する面積を有している支持面１３ａを備えている。
【００２３】
また、図１の実施形態では、支持体３の支持面３ａの周縁は平面視で矩形である周縁によって画定されている。そして、支持面３ａの周縁が平面視で矩形に画定されている平板状の形態を有する支持体３である。
【００２４】
図２の実施形態では、支持体１３は、表面を平面視したときに瓢箪のような形状によって周縁が画定され、また、この表面を平面視したときに瓢箪のような形状の周縁の内側に２カ所の透孔４ａ、４ｂが形成されていることによって周縁が画定されている。そして、このように周縁が画定された平板状の形態を有する支持体１３である。
【００２５】
このように、この実施形態の新規な描画用素材においては、支持体の支持面の周縁が画定していると共に、支持体は任意の形態を有している。
【００２６】
図１図示の実施形態では、支持体３の支持面３ａの面積は、描画用シート２の背面側２ｂの面積に対応する面積になっている。すなわち、図１図示の実施形態でいえば、描画用シート２の背面側２ｂの面積と、支持体３の支持面３ａの面積は同一になっている。
【００２７】
また、図２図示の実施形態でいえば、支持体１３の支持面１３ａの面積は、描画用シート１２の背面側１２ｂの面積に対応する面積になっている。すなわち、描画用シート１２の背面側１２ｂの面積と、支持体１３の支持面１３ａの面積は同一になっている。
【００２８】
図１図示の実施形態の描画用素材１は、上述したように、表面２ａを平面視したときに任意の形状を有していて、表面２ａに描画用材料での描画が行われる描画用シート２の背面側２ｂが、上述したように、描画用シート２の背面側２ｂの面積に対応する面積を有している支持面３ａを備えていて周縁が画定していると共に任意の形態を有している支持体３の支持面３ａに貼り付けられてなるものである。
【００２９】
例えば、図１（ａ）に矢印９で示すように描画用シート２と支持体３とが貼り付けられる。貼り付けは従来公知の接着剤を用いて行うことができる。
【００３０】
図２図示の実施形態でも、上述したように、表面１２ａを平面視したときに任意の形状を有していて、表面１２ａに描画用材料での描画が行われる描画用シート１２の背面側１２ｂが、上述したように、描画用シート２１の背面側１２ｂの面積に対応する面積を有している支持面１３ａを備えていて周縁が画定していると共に任意の形態を有している支持体１３の支持面１３ａに貼り付けられて描画用素材１１となっている。
【００３１】
図１、図２図示の実施形態の描画用素材１、１１は、上述したように支持体３、１３における支持面３ａ、１３ａの周縁が画定していて、支持面３ａ、１３ａの面積と描画用シート２、１２の背面側２ｂ、１２ｂの面積とが同一であることにより、描画用シート２、１２の表面２ａ、１２ａに描画用材料による描画が行われている状態の描画用素材１、１１の周縁を囲繞する枠体を用いることなしに、例えば、図１（ｂ）、図２（ａ）の状態の、描画用シート２、１２の表面２ａ、１２ａに描画用材料による描画が行われている状態の描画用素材１、１１を展示できるものである。
【００３２】
図１図示のように、平面視で矩形の描画用素材１とする場合であっても、表面１２ａを平面視したときに任意の形状を有していて、表面１２ａに描画用材料での描画が行われる描画用シート１２と、描画用シート２の背面側２ｂの面積に対応する面積を有している支持面３ａを備えていて周縁が画定していると共に任意の形態を有している支持体３との組み合わせ（貼り合わせ）によって描画用素材１が構成されるものであるので、創作者・表現者が希望する大きさの矩形にすることができる。
【００３３】
また、支持体３の周縁が画定していて、支持面３ａの面積と描画用シート２の背面側２ｂの面積とが同一であることにより、描画用シート２の表面２ａに描画用材料による描画が行われている状態の（例えば、図１（ｂ）の状態の）描画用素材１を、描画用素材１の周縁を囲繞する枠体を用いることなしに、すなわち、一般に高額品である額縁を使用することなしに描画用素材１を展示することが可能になる。
【００３４】
また、平板状であっても、図２図示のように、支持面の周縁が任意の形状で画定され、創作者・表現者の希望があれば、所定形状の透孔を所望の位置に形成することが可能な支持体１３とすることができるので、創作者がその創作能力を十分に発揮することを可能とする描画用素材を提供することができる。
【００３５】
すなわち、従来のキャンバス、等の描画素材では、矩形の枠の内側に、しかも、あらかじめ定められている大きさの矩形の内側に創作・表現である描画を行わざるを得なかったが、この実施形態の描画用素材１、１１によれば、平面視で任意の形状、大きさの描画用シートの表面に創作・表現を行うことができる。これによって創作者、表現者の表現領域を飛躍的に拡大させることができる。いわば、「フリーキャンバス（Free Canvas）」とも呼ぶべき、新しい概念の描画素材を提供することができる。
【００３６】
この実施形態において、支持体３、１３、等は、合成樹脂製にする等、種々の素材を用いることができる。合成樹脂製にすることにより、軽量化を図り、持ち運びに便利なようにすることができる。
【００３７】
また、折り曲げ変形、凸湾変形、凹湾変形、等の自在な変形ができる部材（例えば、折り曲げ変形、凸湾変形、凹湾変形、等の自在な変形ができる合成樹脂）により支持体３、１３、等の支持体を準備すると、より豊かな、創作・表現を実現することができる。
【００３８】
図３図示の実施形態は、平面視で矩形の描画用シート２２と、変形可能な極薄の合成樹脂製の板状体で、平面視で矩形の支持体２３とを貼り合わせてなる本発明の描画用素材２１の一実施形態を表すものである。描画用シート２２と支持体２３とを貼り合わせてなる描画用素材２１を図１図示の実施形態のように平板状にしておき、描画用シート２２の表面２２ａに描画用材料による描画を行う。その後、描画用シート２２の表面２２ａに描画用材料による描画が行われている状態の描画用素材２１を、図３図示のように湾曲変形させ、立体的に展示することができる。あるいは、最初から、描画用素材２１を、図３図示のように湾曲変形させ、立体的に自立させ、その状態で、描画用シート２２の表面２２ａに描画用材料による描画を行うこともできる。
【００３９】
描画用シート２２が柔軟性を有し、支持体２３は、折り曲げ変形、凸湾変形、凹湾変形、等の自在な変形ができる合成樹脂製なので、平板の状態で描画を行い、その後、自立可能なように描画用素材２１を湾曲変形させることが可能であるし、あるいは、最初から、自立可能なように描画用素材２１を湾曲変形させておき、その状態で、描画を行うことも可能である。
【００４０】
これによって、平面状態のキャンバス等に二次元的に表現するだけでしかなかった従来の描画用素材に比較して、三次元的な創作・表現、その展示を可能とすることができる。図３中、符号２３ｂで示している部分は、支持体２３の背面側になる。
【００４１】
図４図示の実施形態は、平面視で矩形の描画用シート３２と、変形可能な極薄の合成樹脂製（光を透過する素材）の板状体で、平面視で矩形の支持体３３とを貼り合わせてなる本発明の描画用素材３１の一実施形態を表すものである。描画用シート３２の表面３２ａに描画用材料による描画が行われている状態の描画用素材３１を、図４図示のように湾曲変形させ、立体的に展示可能にしたものである。
【００４２】
描画用シート３２と支持体３３とを貼り合わせてなる描画用素材３１を図１図示の実施形態のように平板状にしておき、描画用シート３２の表面３２ａに描画用材料による描画を行う。その後、描画用シート３２の表面３２ａに描画用材料による描画が行われている状態の描画用素材３１を、図４図示のように湾曲変形させ、立体的に展示することができる。あるいは、最初から、描画用素材３１を、図４図示のように湾曲変形させ、立体的に自立させ、その状態で、描画用シート３２の表面３２ａに描画用材料による描画を行うこともできる。
【００４３】
描画用シート３２が柔軟性を有し、支持体３３は、折り曲げ変形、凸湾変形、凹湾変形、等の自在な変形ができる合成樹脂製なので、平板の状態で描画を行い、その後、自立可能なように描画用素材３１を湾曲変形させることが可能であるし、あるいは、最初から、自立可能なように描画用素材３１を湾曲変形させておき、その状態で、描画を行うことも可能である。
【００４４】
これによって、平面状態のキャンバス等に二次元的に表現するだけでしかなかった従来の描画用素材に比較して、三次元的な創作・表現、その展示を可能とすることができる。
【００４５】
このように、この実施形態の新規な描画用素材は、柔軟性を有する描画用シートの背面側が、任意に変形可能な支持体の支持面に貼り付けられている状態で、任意に変形させることにより、自立可能である。
【００４６】
図４図示の実施形態では、光を透過する素材（合成樹脂）で支持体３３を準備していることにより、例えば、図４に符号５で示す位置に照明を配置しておくことにより、描画用素材３１を透過してくる光の影響を創作・表現に加味することができ、一層、創作者の創作・表現領域を広げることができる。
【００４７】
図５図示の実施形態は、平面視で矩形の描画用シート４２、４２´と、変形可能な極薄の合成樹脂製の板状体で、平面視で矩形の支持体４３とを貼り合わせてなる本発明の描画用素材４１の一実施形態を表すものである。支持面を形成する描画用素材４１の表面と背面との双方に、それぞれ、描画用シート４２、４２´を貼り付けている。描画用シート４２、４２´の表面４２ａ、４２ａ´にそれぞれ描画用材料による描画が行われている状態の描画用素材４１を、図４図示のように湾曲変形させ、立体的に展示可能にしたものである。
【００４８】
これによって、平面状態のキャンバス等に二次元的に表現するだけでしかなかった従来の描画用素材に比較して、三次元的な創作・表現、その展示を可能とすることができる。
【００４９】
この図５図示の実施形態では、描画用素材４１の表面側と背面側とにそれぞれ描画が施されているので、符号６ａ、６ｂで示すように、描画用素材４１の表面側と背面側との双方から観賞できる展示形態にすることができる。
【００５０】
図６図示の実施形態は、薄板状で円形の描画用素材５１、６１と、薄板状で矩形（台形）の描画用素材７１が、それぞれに形成されているつりさげ孔５７、６７、７７で吊り下げられて展示されている実施形態の一例を表すものである。
【００５１】
描画用素材５１、６１、７１を形成する支持体を軽量な合成樹脂製の薄板とすることにより、吊り下げ部材８、８ａ、８ｂ、８ｃでこれらを吊り下げて展示し、観賞に供することができる。
【００５２】
以上、添付図面を参照して本発明の好ましい実施形態を説明したが、本発明はかかる実施形態に限定されるものではなく、特許請求の範囲の記載から把握される技術的範囲において種々の形態に変更可能である。
【符号の説明】
【００５３】
１、１１、２１、３１、４１、５１、６１、７１    描画用素材
２、１２、２２、３２、４２、５２、６２，７２  描画用シート
３、１３    支持体
４ａ、４ｂ    透孔
２ａ、１２ａ、２２ａ、３２ａ、４２ａ、４２ａ´、５２ａ、６２ａ、７２ａ
描画用シートの表面
２ｂ、１２ｂ    描画用シートの背面側
３ａ、１３ａ  支持体の支持面
【要約】
【課題】創作者がその創作能力を十分に発揮することを可能とする新規な描画用素材を提案する。
【解決手段】表面を平面視したときに任意の形状を有していて、当該表面に描画用材料での描画が行われる、柔軟性を有する素材からなる描画用シートと、任意に変形可能な部材からなり、前記描画用シートの前記表面とは反対側の背面側の面積に対応する面積を有している支持面を備えていて当該支持面の周縁が画定していると共に任意の形態を有している支持体とを備えている描画用素材。前記描画用シートの背面側が、前記支持体の前記支持面に貼り付けられてなり、前記支持面の周縁が画定していて、前記支持面の面積と前記描画用シートの背面側の面積とが同一であることにより、前記描画用シートの表面に前記描画用材料による描画が行われている状態の前記描画用素材の周縁を囲繞する枠体を用いることなしに、前記描画用シートの表面に前記描画用材料による描画が行われている状態の前記描画用素材を展示できる新規な描画用素材。
【選択図】図１【図１】
0005838528.tif 000002
【図２】
0005838528.tif 000003
【図３】
0005838528.tif 000004
【図４】
0005838528.tif 000005
【図５】
0005838528.tif 000006
【図６】
0005838528.tif 000007